(57)【要約】  【課題】様々な光の演出を簡単に行うことができる誘導灯を提供する。  【解決手段】劇場の階段Ｓ１に設けられる誘導灯２であって、階段Ｓ１の踏み面１６７の縁部１６９に設けられ光を少なくとも上方に向けて照射する誘導灯本体６と、この誘導灯本体６の上方を覆う透光性を有したカバー体７と、このカバー体７の表面７６の一部または全部に覆装され前記カバー体７を通して外方に照射される誘導灯本体６からの光の強さを調整する調光シート８とを備えた。【選択図】図８
2013145665.tif 000002
【特許請求の範囲】
【請求項１】
劇場の階段に設けられる誘導灯であって、階段の踏み面の縁部に設けられ光を少なくとも上方に向けて照射する誘導灯本体と、この誘導灯本体の上方を覆う透光性を有したカバー体と、このカバー体の表面の一部または全部に覆装され前記カバー体を通して外方に照射される誘導灯本体からの光の強さを調整する調光シートとを備えたことを特徴とする誘導灯。
【請求項２】
前記誘導灯本体が、長尺なベースに複数のＬＥＤ発光体を間欠的に設けたものである請求項１記載の誘導灯。
【請求項３】
前記調光シートが、滑り止め機能を発揮し得る材料により作られたものである請求項１または２記載の誘導灯。
【請求項４】
前記誘導灯本体が、前記踏み面の縁部に取り付けられたフレームの凹陥部における底面に配されたものであり、前記カバー体が、前記フレームの凹陥部に小口端面の上端部分を露出させた状態で嵌着されたものであり、前記調光シートが、前記カバー体の露出した小口端面以外の部分に設けられたものである請求項１、２または３記載の誘導灯。
【請求項５】
前記調光シートが、前記カバー体の上面よりも小さな平面視形状を備えたものであり、カバー体の上面における所定箇所から調光シートを通らない光が外部に導出されるようにした請求項１、２、３または４記載の誘導灯。
【発明の詳細な説明】
【技術分野】
【０００１】
本発明は、劇場の階段に設けられる誘導灯に関する。
【背景技術】
【０００２】
劇場の階段には、上演中に移動する観客の安全を考えて踏み面を照らすための誘導灯が設けられているのが一般的である。しかしながら、この種の誘導灯は、照度が高すぎると上演の邪魔になるため、踏み面のごく一部を照らしているのが実情である。そのため、上演中の移動が難しく何らかの対策が望まれている。
【０００３】
このような要望に応えるため、夜間階段を安全に昇降するための誘導灯を劇場の階段に適用することも考えられる。ところが、従来のこの種の誘導灯は、誘導灯本体の上に滑り止めを兼ねた透明な硬質塩化ビニル等のカバー体を覆っただけのものが一般的である（例えば、特許文献１を参照）。そのため、劇場の階段に適用するには、設計が難しく、仕様変更にも対応しにくいという問題がある。すなわち、劇場用の誘導灯には、上演品質の維持と観客の安全性とを高度なレベルで調和させる必要があり、微妙な光の演出が必要となる。このような要望に応えるためには、前記カバー体の材質や色の選定のみならず、カバー体に対して部分的に照度を変えるための様々な工夫が必要となり、種々の劇場に適用するにはカバー体を劇場毎に設計し製造する必要がある。
【先行技術文献】
【特許文献】
【０００４】
【特許文献１】特開平６−３０７０４５号公報
【発明の概要】
【発明が解決しようとする課題】
【０００５】
本発明は、様々な光の演出を簡単に行うことができる誘導灯を提供することを目的としている。
【課題を解決するための手段】
【０００６】
本発明は、以上のような課題を解決するために、次のような構成を採用したものである。すなわち、本発明に係る誘導灯は、劇場の階段に設けられるものであって、階段の踏み面の縁部に設けられ光を少なくとも上方に向けて照射する誘導灯本体と、この誘導灯本体の上方を覆う透光性を有したカバー体と、このカバー体の表面の一部または全部に覆装され前記カバー体を通して外方に照射される誘導灯本体からの光の強さを調整する調光シートとを備えたことを特徴とする。
【０００７】
このようなものであれば、調光シートとカバー体との相対的な大きさを変えることによって、要求されるいろいろな態様に適用できるように設計しやすいという効果が得られる。
【０００８】
誘導灯本体の好適な一例としては、長尺なベースに複数のＬＥＤ発光体を間欠的に設けたものが挙げられる。
【０００９】
前記調光シートの好適な一例としては、滑り止め機能を発揮し得る材料により作られたものが挙げられる。
【００１０】
調光シートとカバー体との相対的な大きさを変える具体的な一態様として、前記誘導灯本体が、前記踏み面の縁部に取り付けられたフレームの凹陥部における底面に配されたものであり、前記カバー体が、前記フレームの凹陥部に小口端面の上端部分を露出させた状態で嵌着されたものであり、前記調光シートが、前記カバー体の露出した小口端面以外の部分に設けられたものであれば、小口端面のみから強い光を導出させたいという要望に応えることができる。
【００１１】
また、調光シートとカバー体との相対的な大きさを変える具体的な他の一態様として、前記調光シートが、前記カバー体の上面よりも小さな平面視形状を備えたものであり、カバー体の上面における所定箇所から調光シートを通らない光が外部に導出されるようにしたものであれば、カバー体の上面側の所定箇所から強い光を導出させたいという要望に応えることができる。
【発明の効果】
【００１２】
以上説明したように本発明によれば、様々な光の演出を簡単に行うことができる誘導灯を提供することができる。
【図面の簡単な説明】
【００１３】
【図１】本発明の一実施形態の移動観覧席を展開状態で示す側断面図。
【図２】同実施形態の移動観覧席を収納状態で示す側断面図。
【図３】同実施形態の要部を拡大して示す斜視図。
【図４】同実施形態の要部の中央側断面図。
【図５】同実施形態の誘導灯を分解して示す斜視図。
【図６】図４の要部を拡大して示す中央側断面図。
【図７】同実施形態の要部を拡大して示す平面図。
【図８】図７におけるＡ−Ａ線断面図。
【図９】本発明の他の実施形態の誘導灯を示す斜視図。
【発明を実施するための形態】
【００１４】
以下、本発明の一実施形態について図１〜図８を参照して説明する。
【００１５】
この実施形態は、本発明の誘導灯を劇場における移動観覧席Ｓの階段Ｓ１に適用したものである。すなわち、この階段Ｓ１には、第１の誘導灯２と第２の誘導灯３とが設けられているが、本発明は、前記第１の誘導灯２にかかるものである。
【００１６】
移動観覧席Ｓは、図１〜図４に示すように、劇場やホールあるいはスタジアム等で使用されるもので、互いに高さの異なる複数の段床１と、これらの段床１を前後方向に移動可能に支持する複数の脚構造体４とを備えてなる。この移動観覧席Ｓは、各段床１を図１に示すように前方に進出させて雛壇状に展開した展開位置（Ｏ）と、図２に示すように後方に退避させて重合状態で収納するようにした収納位置（Ｃ）との間で伸縮可能に構成している。なお、図１及び図２は、それぞれ展開位置（Ｏ）及び収納位置（Ｃ）にある移動観覧席Ｓを幅方向中央部付近で破断して概略を示す全体右側面図である。
【００１７】
各段床１には、図１〜図３に示すように、複数の椅子５が設けられている。これらの椅子５は、段床１上に並べて設けられた複数の支持体５１と、隣接する支持体５１間に支持させた支持軸５２とによって支持されるものであり、各椅子５は、座５３と背凭れ５４が展開されており着座者が使用可能な使用姿勢（Ｏ）と、座５３と背凭れ５４が重なっており前記収納位置（Ｃ）において収納可能な収納姿勢（Ｃ）とを取り得る。なお、脚構造体４を進退させる駆動機構等は従来のものと同様であるため、説明を省略する。そして、図３に示すように、各段床１の所定箇所には、椅子５を配置しないスペースを設け、その部位に歩行者が通行可能な昇降用通路である階段Ｓ１を前後方向に設定している。
【００１８】
段床１は、図１〜図４、図６及び図８に示すように、脚構造体４に支持されたベース１１と、このベース１１に載せて配置され前記段床１の上面を構成する床材１２とを主体に構成されたものである。ベース１１は、前記階段Ｓ１に対応する部位の幅方向ほぼ中央部における後端側に、前記第２の誘導灯３を取り付けるための台座１３を備えている。台座１３は、板金素材を下方に開口するように断面ほぼＵ字状に折り曲げ加工してなるもので、溶接やネジ止めなどの適宜の手段によってベース１１に取り付けられている。また、各段床１には、段床１と共に階段Ｓ１を構成する補助ステップ１４が取り付けられている。
【００１９】
補助ステップ１４は、図１〜図４及び図６〜図８に示すように、前記台座１３及び第２の誘導灯３を覆うようにしてベース１１に取り付けられるもので、前記段床１のベース１１の後端部に配置される基台部１５と、この基台部１５に支持される補助ステップ本体１６とを備えている。基台部１５は、板金素材を折り曲げ加工して形成されたチャネル状をなすもので、ネジ等の止着具によってベース１１に取り付けられている。補助ステップ本体１６は、前記基台部１５に取り付けられ前後に延びる横断面ロ字状をなす一対の縦桟１６１と、これら縦桟１６１間に支持され上方に開口するチャネル状をなす前後一対の横桟１６２と、これらの横桟１６２に支持された基盤部１６３と、この基盤部１６３の上面に載せて配置され該補助ステップ１４の上面１６５を構成する床材１６４とを備えている。基盤部１６３は、その前端部を下方及び後方に折り曲げて、前壁１６３ａ及び下壁１６３ｂがそれぞれ形成されている。この前壁１６３ａは、補助ステップ本体１６の前端面１６６を構成するものであり、本実施形態においては、この前端面１６６を基台部１５の前端よりも前方に位置付けている。換言すれば、補助ステップ本体１６は、基台部１５よりも前方に突出する突出部１６８を備えている。基盤部１６３及び床材１６４は、段床１に設定した階段Ｓ１の長手方向寸法にほぼ等しい長手方向寸法と、前記段床１の奥行き寸法のほぼ半分の奥行き寸法とを有している。また、床材１６４の上面１６５の高さ位置は、段床１の床材１２の上面と上段側の段床１の床材１２の上面との間の高さのほぼ半分の位置に設定されている。この補助ステップ１４の上面１６５の縁部１６９に第１の誘導灯２が取り付けられているとともに、補助ステップ１４の内部に第２の誘導灯３が取り付けられている。
【００２０】
第１の誘導灯２は、図３〜図８に示すように、階段Ｓ１の踏み面１６７の縁部１６９に設けられ光を少なくとも上方に向けて照射する誘導灯本体６と、この誘導灯本体６の上方を覆う透光性を有したカバー体７と、このカバー体７の表面７６の一部に覆装され前記カバー体７を通して外方に照射される誘導灯本体６からの光の強さを調整する調光シート８とを備えている。誘導灯本体６は、前記踏み面１６７の縁部１６９、すなわち、補助ステップ１４の上面１６５における前側の縁部１６９に取り付けられたフレーム９に配されたものである。
【００２１】
フレーム９は、図３〜図８に示すように、例えば、アルミ押し出し材製のもので、底壁９２と、この底壁９２の前縁に交差した状態で形成された前壁９３と、前記底壁９２の後縁に交差した状態で形成された後壁９４と、この後壁９４の背面から後方に延出する延出壁９５とを備えたものである。前記底壁９２と前壁９３の上端部と後壁９４とによって、上方に開口した凹陥部９１が形成されている。そして、この底壁９２の上面９２１、すなわちフレーム９の凹陥部９１における底面９１１に前記誘導灯本体６が配されている。
【００２２】
誘導灯本体６は、図４〜図８に示すように、長尺なベース６１に複数のＬＥＤ発光体６２が間欠的に設けられたもので、前記ベース６１に前記ＬＥＤ発光体６２を駆動するための回路が組み込まれている。かかる回路については通常のものであるため、説明を省略する。なお、この誘導灯本体６からは、段床１のベース１１に沿って後方に電源用の配線１０が延びており、各段床１の後方に設けた図示しない電源に接続している。
【００２３】
カバー体７は、図４〜図８に示すように、例えば、透明な塩化ビニル樹脂またはアクリル樹脂等により作られたもので、前記誘導灯本体６を保護し得る剛性を備えている。このカバー体７は、下方に開口した開口部７１を有する扁平箱形をなしている。前記開口部７１は、前記誘導灯本体６を収容するためのもので、この開口部７１の長手方向両側には、中実な肉厚部７２が設けられている。カバー体７は、これらの肉厚部７２をビス等の取付具７３を用いて前記フレーム９の底壁９２に取り付けられている。このカバー体７は、前記フレーム９とほぼ同一の長手方向寸法を有するもので、前記フレーム９の凹陥部９１に表面７６の一部、具体的には上面７６１及び前後の小口端面７４、７５の上端部分７４１、７５１を露出させた状態で嵌着されている。
【００２４】
調光シート８は、図３〜図８に示すように、光の透過を抑制するためのもので、有色な材料により作られている。調光シート８は、この実施形態においては、さらに滑り止め機能を発揮し得る材料により作られたものである。具体的には、調光シート８は、熱硬化性樹脂膜層を微細発泡させた基材からなるものや、合成樹脂及び鉱物粒子等を主原料とした材料により作られており、表面に微細な凹凸処理がなされている。この調光シート８は、前記カバー体７の上面７６１をほぼ全面的に覆うような寸法形状を有している。すなわち、この調光シート８は、カバー体７の上面７６１とほぼ同一の寸法形状をなすもので、この調光シート８をカバー体７の上面７６１に覆着した状態では、カバー体７の露出する外面は、前記前後の小口端面７４、７５の上端部分７４１、７５１のみとなる。換言すれば、調光シート８は、前記カバー体７の小口端面７４、７５以外の露出した部分に設けられたものである。
【００２５】
第２の誘導灯３は、図４及び図６に示すように、例えば白熱球等の発光体３１と、この発光体３１を内部に収容した中空箱状のハウジング３２とを主体として構成されるものである。ハウジング３２は、内部に発光体３１を配した状態で、前記台座１３の上面に取り付けられている。この発光体３１から照射される光は、前記ハウジング３２の前下方に取り付けられた第１の反射板３３と、前記補助ステップ１４の前方に取り付けられた第２の反射板３４とによって反射された後、補助ステップ１４の前方に設けられた窓３５を通過して、外部に導出される。第１の反射板３３及び第２の反射板３４はそれぞれ、例えば鏡等の光を反射し得る素材からなるものである。詳述すれば、第１の反射板３３は、ハウジング３２における発光体３１の前下方に取り付けられており、発光体３１から発せられる光を前上方に反射するようにしている。第２の反射板３４は、前側の横桟１６２に取り付けられており、第１の反射板３３から反射される光を前下方に反射するようにしている。窓３５は、補助ステップ本体１６の基盤部１６３の下壁１６３ｂに形成される下向き開口であり、第２の反射板３４から反射される光を前下方に向けて導き出すようにしている。なお、この誘導灯３からは、段床１のベース１１に沿って後方に電源用の配線３６が延びており、各段床１の後方に設けた図示しない電源に接続している。
【００２６】
なお、図６及び図８では、第１の誘導灯２及び第２の誘導灯３から発せられる光の行路を模式的に示しており、ＬＥＤ発光体６２または発光体３１から発せられ調光シート等によって積極的に強さが変更されていない光を実線で示すとともに、ＬＥＤ発光体６２から発せられ調光シート８によって積極的に強さが変更されている光（具体的には、強度が弱められている光）を破線で示している。
【００２７】
以上に述べたように、本実施形態に係る第１の誘導灯２は、劇場の階段Ｓ１に設けられるものであって、階段Ｓ１の踏み面１６７の縁部１６９に設けられ光を少なくとも上方、より具体的には、前方、後方、左右側方及び上方に向けて照射する誘導灯本体６と、この誘導灯本体６の上方を覆う透光性を有したカバー体７と、このカバー体７の表面７６の一部に覆装され前記カバー体７を通して外方に照射される誘導灯本体６からの光の強さを調整する調光シート８とを備えてなる。
【００２８】
このような構成の第１の誘導灯２であれば、調光シート８とカバー体７との協働により、光の導出状態を種々設定することができる。したがって、誘導灯本体６の保護を担う剛性の高いカバー体７を共通化した上で、各劇場において要求される照明度合いや照明態様を容易に対応することが可能になる。すなわち、このようなものであれば、カバー体７の露出面に対する調光シート８の覆装状態や、調光シート８の透光度合い等を選定する、換言すれば、カバー体７に対する調光シート８の装着の仕方を変えるだけで、外部に放出される光の強さや視認形態等を種々変更することができる。
【００２９】
本実施形態では、誘導灯本体６が、長尺なベース６１に複数のＬＥＤ発光体６２を間欠的に設けたものであるため、通常の白熱電球や蛍光灯等に比べて誘導灯本体６の上下方向の厚み寸法を小さくすることができる。したがって、誘導灯本体６を補助ステップ１４の上面側に取り付けても、通行の妨げとならず、好適に上方への光を供給することができる。また、誘導灯本体６にＬＥＤ発光体６２を用いているので、白熱電球や蛍光灯に比べて寿命が長く電力消費を押さえることもできる。
【００３０】
また、調光シート８が、滑り止め機能を発揮し得る材料により作られたものであるため、階段Ｓ１を通行する歩行者の安全性をより高めることができる。
【００３１】
具体的に、この実施形態においては、前記誘導灯本体６が、前記踏み面１６７の縁部１６９に取り付けられたフレーム９の凹陥部９１における底面９１１に配されたものであり、前記カバー体７が、前記フレーム９の凹陥部９１に小口端面７４、７５の上端部分７４１、７５１を露出させた状態で嵌着されたものであり、前記調光シート８が、前記カバー体７の露出した小口端面７４、７５以外の部分に設けられたものである。すなわち、誘導灯２の上面側の遮光性を高く設定するとともに、前後の小口端面７４、７５側の遮光性を低く設定しているため、最低限の光を用いて階段Ｓ１の輪郭をはっきり認識させることができる。具体的には、前の小口端面７４の上端部分７４１から調光シート８を介さずに漏れ出る光は、階段Ｓ１を上段側へ上っていく歩行者に補助ステップ１４の存在を認識させることができるとともに、後ろの小口端面７５の上端部分７５１から調光シート８を介さずに漏れ出る光は、階段Ｓ１を下段側へ下っていく歩行者に補助ステップ１４の存在を認識させることができる。
【００３２】
特に、本実施形態においては、第１の誘導灯２を補助ステップ１４に設けているので、段床１に比べて歩行者が把握しにくい補助ステップ１４の縁部１６９の位置を歩行者に認識させることができる。そのため、暗い劇場内における歩行者の安全確保が図られる。
【００３３】
また、本実施形態の第１の誘導灯２は、フレーム９を介して誘導灯本体６が補助ステップ１４に取り付けられたものである。そのため、補助ステップ１４に特別な加工を施すことなく、既設の補助ステップに後付けすることが可能である。
【００３４】
本実施形態では、段床１の段床面よりも上方に位置付けられた補助ステップ１４に第２の誘導灯３を設けているので、補助ステップ１４よりも前下方に位置する段床１の上面を適切に照明することができる。この第２の誘導灯３は、窓３５を介して下向きに光を放出するものであるため、段床１の上面を適切に照明し、観覧席の前方にある舞台上の演者には誘導灯３の照明が目に入らないようにするとともに、昇降用通路の歩行者の安全確保を有効に図ることができる。
【００３５】
なお、本発明は以上に述べた実施形態に限られない。
【００３６】
本発明の誘導灯は、補助ステップに設けられるものに限られず、段床に設けられるものであってもよい。さらに、この誘導灯は、上述した移動観覧席以外に適用してもよいのはもちろんである。また、本実施形態においては、本発明の誘導灯が第２の誘導灯と併用されるものについて説明したが、このようなものに限られず、本発明の誘導灯のみで使用されたり、他の誘導灯と併用されたりするものであってもよい。
【００３７】
本発明のカバー体は、透光性を有していればどのようなものであってもよく、上述した透明なものに限られず、半透明なものや、無色／有色を問わない。また、本発明の調光シートは、誘導灯本体からの光の強さを調整可能なものであればどのようなものであってもよく、一部の光を遮断するものの他、完全に光を遮断するものであってもよい。また、調光シートは、どのような色に着色されたものであってもよい。
【００３８】
カバー体に対する調光シートの装着の仕方を変えるだけで、外部に放出される光の強さや視認形態等を種々変更できる本発明の誘導灯の他の使用例としては、図９に示すものが挙げられる。なお、上述した実施形態と同一または対応する部分には同一の符号を付して、詳細な説明を省略する。この誘導灯２は、調光シート８が、前記カバー体７の上面７６１よりも小さな平面視形状を備えたものであり、カバー体７の上面７６１における所定箇所から調光シート８を通らない光が外部に導出されるようにしたものである。具体的には、誘導灯本体６が、カバー体７とほぼ同じ長手方向寸法を備えたものであり、誘導灯本体６の端部に位置するＬＥＤ発光体６２の上面側に調光シート８を配さないようにしたものである。このようなものであれば、調光シート８を通らない光によって、階段Ｓ１に隣接する椅子に設けられた座席札、その他のプレート等を照らすことができる。
【００３９】
また、カバー体に対する調光シートの装着の仕方の他の例としては、調光シートがカバー体の露出した前側の小口端面以外の部分に設けられたものや、カバー体の露出した後側の小口端面以外の部分に設けられたものであってもよい。後者の場合には、歩行者には階段の存在を認識しやすいようにするとともに、舞台上の演者等には誘導灯の照明が目に入りにくいようにすることができる。
【００４０】
その他、本発明の趣旨を損ねない範囲で種々に変更してよい。
【符号の説明】
【００４１】
Ｓ１…階段
１６７…踏み面
１６９…縁部
２…誘導灯
６…誘導灯本体
６１…ベース
６２…ＬＥＤ発光体
７…カバー体
７４、７５…小口端面
７４１、７５１…上端部分
７６…表面
８…調光シート
９…フレーム
９１…凹陥部
９１１…底面
【図１】
2013145665.tif 000003
【図２】
2013145665.tif 000004
【図３】
2013145665.tif 000005
【図４】
2013145665.tif 000006
【図５】
2013145665.tif 000007
【図６】
2013145665.tif 000008
【図７】
2013145665.tif 000009
【図８】
2013145665.tif 000010
【図９】
2013145665.tif 000011